(57)【要約】      （修正有）【課題】収納部付きのスラックスにおいて、収納作業を容易かつ迅速にする折りたたみ収納可能なスラックスを提供する。【解決手段】表地２０を縦横方向に強撚糸を用いて凹凸加工したツーウエイ織物で構成し、その裏側にストレッチ性があり、滑りが優れた裏地３０を設ける。裏地３０の表地２０側に収納部裏部材５１を取付けて収納部５０を設ける。裏地３０は膝裏地３１と表地２０の後ろ身頃２２を覆う後ろ裏地３２とを連続して設け、すててこ状に形成する。裏地３０に開口部５３を設け、ここから折りたたんだスラックス１０を収納部５０内へ収納する。この収納において、裏地３０にストレッチ性があり、伸びがよく、かつ滑りがよいので、裏地３０はスムーズに反転する。しかも、メッシュ生地のように指先が絡むこともなくスムーズに収容作業ができる。【選択図】図３
0003208959.tif 000002
【実用新案登録請求の範囲】
【請求項１】
表地（２０）と裏地（３０）を表裏に重ねて縫製するとともに、裏地と表地の間に折りたたみ時の収納部（５０）を形成した折りたたみ収納可能なスラックスにおいて、
表地（２０）は、縦横それぞれに強撚糸を用い凹凸加工をしたストレッチ性のツーウエイ織物であり、
裏地（３０）は、少なくとも横方向にストレッチ性があり、かつ表面が滑らかな織物であり、
前記収納部（５０）は、裏地（３０）及び表地（２０）の間に配置される収納部裏部材（５１）の周囲を裏地（３０）へ縫合することにより形成された袋状をなし、収納部の開口部（５３）を裏地（３０）に形成したことを特徴とする折りたたみ収納可能なスラックス。 
【請求項２】
請求項１において、前記裏地（３０）は少なくともひざ裏部分に設けられていることを特徴とする折りたたみ収納可能なスラックス。
【請求項３】
請求項２において、前記裏地（３０）は、ひざ裏部分から、後ろ身頃の上部まで連続してすててこ状になっていることを特徴とする折りたたみ収納可能なスラックス。
【請求項４】
請求項３項において、前記裏地（３０）の下端部の一部と前記表地（２０）の一部とを止め部（３４）で連結したことを特徴とする折りたたみ収納可能なスラックス。
【請求項５】
請求項１〜４のいずれか１項において、前記収納部裏部材（５１）がメッシュ生地であることを特徴とする折りたたみ収納可能なスラックス。
【請求項６】
請求項１〜５のいずれか１項において、表地（２０）が「ボンフォルト」（登録商標）であり、裏地（３０）が「カレーユ」（登録商標）である、ことを特徴とする折りたたみ収納可能なスラックス。
【考案の詳細な説明】
【技術分野】
【０００１】
折りたたみ収納可能な衣服、特に、折りたたみ収納できる紳士用スラックスに関する。
【背景技術】
【０００２】
表地の裏に袋状の収納部を設け、ここへ折りたたみ収納可能にした衣服は公知であり、スラックスの膝裏に収納部を設けたもの（特許文献１）がある。
これらは、折りたたみやすいように比較的薄い表地を用い、収納部にはメッシュ生地を用いていた。
【先行技術文献】
【特許文献】
【０００３】
【特許文献１】実用新案登録第３１０２３１７号
【考案の概要】
【考案が解決しようとする課題】
【０００４】
従来の表地は、薄くするために比較的硬い生地を用いていた。しかし、このような生地を使用するとタタミジワがつきやすかった。したがって、折りたたみ状態を解いたとき、速やかにタタミジワが解消され、型くずれしないこと、すなわちタタミジワがつきにくく、かつ回復性の優れたものが求められている。
また、収納部はメッシュ生地を袋状にして表地の裏側に設けていた。しかしメッシュ生地で収納袋を形成すると、ジャケットなどを折りたたんで収納するときに、あまり伸びが無い反面、指先に力をいれて収納部へ押し込まなければならないので収納しづらかった。そのうえ折りたたんだ部分の角がメッシュにひっかかり易く、収納に手間取った。しかも、爪の長い女性等が収納作業をしようとすると、爪がメッシュにひっかかるので、一層、作業しづらくなった。したがって、スムーズに収納できる収納性に優れたものが求められている。
【課題を解決するための手段】
【０００５】
表地と裏地を表裏に重ねて縫製するとともに、裏地と表地の間に折りたたみ時の収納部を形成した折りたたみ収納可能なスラックスにおいて、
表地は、縦横それぞれに強撚糸を用い凹凸加工をしたストレッチ性のツーウエイ織物であり、
裏地は、少なくとも横方向にストレッチ性があり、かつ表面が滑らかな織物であり、
前記収納部は、裏地及び表地の間に配置される収納部裏部材の周囲を裏地へ縫合することにより形成された袋状をなし、収納部の開口部を裏地に形成したことを特徴とする。
【考案の効果】
【０００６】
表地として縦横方向に伸縮するストレッチ性があり、凹凸加工をしたツーウエイ織物を使用したので、折りたたみやすく、かつ比較的薄地にしても、タタミジワがつきにくく、回復性の優れたものになる。
また、裏地として少なくとも横方向にストレッチ性があり、かつ表面が滑らかで滑りがよい織物を使用したので、折りたたみ時には、表地の伸縮性と協働して折りたたみやすくなり、しかも滑りがよいため、スムーズに滑って収納でき、収納性が良好になる。
そのうえ、裏地が伸縮性に富み、滑りがよいため、体になじんで動くことができ、表地の伸縮性と相まって、スラックスの着脱が快適であり、かつ着用感が良くなる。
【図面の簡単な説明】
【０００７】
【図１】本考案が適用されたスラックスの一部正面図
【図２】上記スラックスの一部における裏側展開図
【図３】スラックスの裏返した状態における側面図
【図４】図３の４−４線に沿う模式的断面及び要部の拡大図を示す図
【図５】スラックスの収納手順を示す図
【考案を実施するための形態】
【０００８】
以下図面に基づいて本考案を適用した紳士用スラックスの一実施形態を説明する。図１はスラックス１０の上部正面を示し、図２はその右側部分の裏側を展開状態で示す。図３は右側側面を表裏反転させた状態で示す図、図４は図３の４−４線に沿う模式的断面図及び要部の拡大図である。
【０００９】
図１において、スラックス１０は表側の表地２０とその裏側に設けられる裏地３０を備える。表地２０は、左右の前身頃２１と後ろ身頃２２を縫合したものであり、縫合部２３はスラックス１０の丈方向（以下、単に丈方向という）へ沿って側面に形成されている（図３参照）。
表地２０は、縦糸及び横糸のそれぞれに強撚糸を用いて凹凸加工を施した織物であり、縦横両方向に伸縮するストレッチ性があり、しわがつきにくく、かつしわからの回復が早い生地を使用している。
【００１０】
このような表地の好適な一例として、東レ株式会社製「ボンフォルト」（登録商標）がある。この生地はポリエステル１００％のツーウエイ組織の織物であり、凹凸のある特殊風合い加工を施してあり、ふくらみと伸縮性があり、爽やかな手触りと独特なシャリ感がある。
【００１１】
また、適度な伸度を有し、凹凸加工されているため、しわがつきにくく、かつしわからの回復が早いので、本願のような折りたたみ収納する衣料に適している。
さらに、通気性があり、清涼であって、軽量であるため、夏物衣料に最適である。そのうえ変形しにくいためウォッシャブルでもある。
但し、本願の表地２０は、「ボンフォルト」に限らず、ツーウエイ織物であって、伸縮性と凹凸加工において同等なものであれば、他の生地も適用可能である。
【００１２】
表地２０の内側には、裏地３０が「すててこ」状に設けられている。
裏地３０はベルト２４、前開き部２５及び股下部分で表地２０と縫合されるだけであり、他の部分は結合されず、あたかも、表地２０と別体の独立した「すててこ」を着用したかのような状態となり、表地２０に対する自由な動きを可能にしている。
【００１３】
裏地３０は、少なくとも横糸に強撚加工をすることにより、横方向にストレッチ性を有するとともに、通気性と滑り性に優れている生地を用いる。但し、縦横方向にストレッチ性を与えてもよい。滑り性は、主として滑り摩擦の少ない断面形状（円形）の細い糸の織物とすることにより得られる。ここで、本考案における「優れた滑り」、「滑りが良い」もしくは「表面の滑らかさ」とは、一般に滑りの良い裏地として知られているキュプラの滑り及び滑らかさと同程度以上のことをいう。
【００１４】
このような、裏地の好適な一例として、東レ株式会社製「カレーユ」（登録商標）がある。この生地はポリエステル１００％のストレッチ織物であり、横糸の強撚加工により、横方向に１５％程度の優れたストレッチ性を有する。また、表面が平滑で優れた滑り性があり、通気性並びにドライ質感にも優れている。
したがって、この生地を用いると、着用快適性に優れ、汗によるべとつきを大きく軽減することができる。
【００１５】
但し、本願の裏地３０は、「カレーユ」に限らず、同等な性能（少なくとも横方向に１５％程度の横方向ストレッチ性と優れた滑り性）があれば、他の生地も適用可能であり、例えば、ストレッチ性を良好にすればキュプラ製の生地も適用可能性がある。また、横方向だけでなく、縦横方向にストレッチ性を付与したものでもよい。
【００１６】
このような裏地３０にすれば、優れた滑り性により、スラックスをスムーズに着脱できるようになる。また着用時には、裏地３０の横方向に顕著なストレッチ性があり、伸びがよいため、体になじんで、その動きに追随するので、軽快な着用感を得ることができる。
特に、腰回り及び尻回りの動きが楽になり、快適な着心地が得られる。
【００１７】
また、「カレーユ」を用いれば、良好な通気性とドライ感により、清涼で蒸れにくくなる。そこで、「ボンフォルト」の表地と組み合わせにより得られるスラックス１０は、快適な着心地が得られ、軽量のために軽快な着用感があり、さらに通気性があって蒸れにくくなるので夏用に最適となる。そのうえ、ウォッシャブルのため扱いやすくなる。
【００１８】
なお、表地２０の上部左右には、脇ポケット２６が設けられている（図１は脇ポケットの入り口部分を示している）。また、着用時右側の脇ポケット２６の裏側に重なるように、収納部５０が裏地３０の右側上部に設けられている。収納部５０は右側だけに設けられ、左側には設けられていない。
【００１９】
図２及び図３に示すように、裏地３０は、左右の前身頃２１に重なる膝裏地３１と、後ろ身頃２２に重なる後ろ裏地３２を備え、膝裏地３１と後ろ裏地３２は側部で縫合一体化される。この裏地３０の縫合部３３は表地２０の縫合部２３とほぼ重なって丈方向に伸びている。
【００２０】
膝裏地３１と後ろ裏地３２の各上縁部はベルト２４近傍で表地２０と縫合され、膝裏地３１の前縁部は前開き部２５及び股下部分で表地２０と縫合される。膝裏地３１と後ろ裏地３２の各下縁部側は表地と結合されない。このため、裏地３０が表地２０の裏側で自由に動けるようになっている。
【００２１】
なお、図１の拡大部Ａに示すように、裏地３０の下端部である脚部３６の裾部と表地２０とは、止め部３４でゆるく結合されている。止め部３４は、糸やひも（ゴムひもを含む）等の適宜部材であり、一端を表地２０の内側における縫合部２３に取付け、他端を裏地３０の下端部における縫合部３３へ取付けてある。これにより、使用中やスラックスを脱ぐときにおける裏地３０の下端がめくれ上がりを防止できる。
【００２２】
このようにしてなる裏地３０は、ほぼズボン下と同様の形状をなし、腰及び尻を囲む筒状の胴部３５と股下から膝下にかけて左右の腿及び脚を筒状に囲む左右の脚部３６を一体に有し、脚部３６の裾は脚の回りをゆるく囲み、全体として肌に密着せず、ゆるく形成されており、夏用の下着として使用されることが多い「すててこ」同様の形状をなしている（以下、この裏地３０の形状を「すててこ状」もしくは「すててこ」という）。
【００２３】
また、この裏地３０が「すててこ状」の風通しがよい形状のため、表地２０と肌が直接接触することを防ぎ、蒸れを防いで「すててこ」と同じに機能して快適性を与える。しかも裏地３０の生地自体が、薄く柔らかでかつ滑らかで通気性があってドライ感があるので、肌当たりが柔らかでかつ滑らかで心地がよい。
【００２４】
そのうえ、滑りがよく、大きなストレッチ性があり、胴部３５が表地２０に対してほぼ自由に動き得るので、スラックス１０の着脱がスムーズで快適となる。この着脱がスムーズになることは、裏地３０を「すててこ状」にしたことによる特筆すべき効果である。そのうえ、着用時には、裏地３０の良好なストレッチ性と優れた滑りにより、体になじんで自由に動くことができるので、表地２０側の伸縮性と相まって快適な着用感が得られる。
【００２５】
図２に示すように、右側の裏地３０には上部に略長方形の袋状をなす収納部５０が設けられている。この収納部５０は、略長方形の収納部裏部材５１を裏地３０の裏側へ重ねて周囲を縫合することにより、袋状の空間を有する袋状部を裏地３０と表地２０との間に形成し（図４参照）、この中へスラックス１０を折りたたんで収納できるようにしたものである。
【００２６】
図３に示すように、収納部５０の丈方向における長さは脇ポケット２６よりも長く、スラックス全体の丈をＬとすれば、その略１／４程度である。なお、裏地３０はスラックスの丈Ｌの略１／２程度の長さであり、脚部３６の裾は膝下まで長く伸びている。
【００２７】
収納部裏部材５１は、縫合部３３を挟んでその前後にかけて設けられ、膝裏地３１と後ろ裏地３２の双方に縫合されている。前側では脇ポケット２６の上に重なっている。また、収納部５０では膝裏地３１の後縁部と後ろ裏地３２の前縁部が重なって相互に結合されない合わせ部５２になっている。合わせ部５２は縫合部３３の延長上に位置する。
【００２８】
図３のＡ部は合わせ部５２の断面を拡大して示している。この図に示すように、上下の合わせ部５２の間には収納部５０の開口部５３が形成され、この開口部５３を開くことにより、開口部５３から収納部５０内へ折りたたんだスラックス１０を収納したり、逆に、収納部５０内に収納されているスラックス１０を外部へ引き出して広げることができる。
開口部５３は、上下の合わせ部５２に対向して設けられている面ファスナー５４を係脱することにより開閉されるようになっている。
【００２９】
なお、面ファスナー５４に代えて、ボタンやホックさらにはチャック等の他の係合手段にすることもできる。但し、面ファスナー５４にすれば、薄型にできるので、スラックス１０の着用時に肌に感じる異物感がほとんど無く、快適な着用を実現する。
【００３０】
収納部５０は、裏地３０を構成部材の一部として、裏地３０と表地２０との間に形成されるが、裏地３０側へのみ固定され、表地２０側へは固定されていない。
図４は図３の４−４線断面を拡大して模式的に示している。また、図４のＡ部に収納部裏部材５１の編み目を拡大して示し、図４のＢ部には裏地３０の織り目を拡大して示す。
なお、図４は収納部５０の空間を大きく誇張して示してある。実際は、収納部裏部材５１が裏地３０へほぼ密着する程度に重なっている。
【００３１】
収納部裏部材５１は、メッシュ生地で構成され、良好な通気性を有している。収納部裏部材５１が十分な通気性を有するため、表地２０と裏地３０の間に配置しても、着用時の蒸れを防いで快適に着用することができる。この収納部裏部材５１は、図４中の拡大部Ａ（メッシュの編み目を拡大したもの）に示すように、編み目５５を有し、通気性と軽量化に貢献している。
【００３２】
なお、図示する編み目５５は簡略化して模式的に示したものであり、実際は編み方に種々の形状を有する。また、できるだけ細かいメッシュ（但し編み目５５の大きさは糸の太さ以上）で滑りが良いものが好ましい。メッシュが細かいと指先などに絡まりにくくなる。しかも、収納部裏部材５１は収納部５０の裏側であって、収納作業時に比較的指に触れにくい部分である。なお、裏地３０側の通気性が十分に確保できれば、収納部裏部材５１をメッシュ生地に代えて、裏地３０と同じ生地、又は別の裏地を用いることもできる。
【００３３】
裏地３０は、円形断面等の摩擦が小さい糸からなる織物であり、図４中のＢに織り目３７を拡大して示すように、織り目３７は糸の太さよりも小さくなっている。この点でメッシュと異なり、織り目３７が密になっているため優れた滑り性を形成している。なお、図４中のＢは、平織物を例示しているが織り方は任意であり、種々なものが可能である。
【００３４】
次に、スラックスの収納手順を説明する。まず図３に示すようにスラックス全体を裏返しして着用時右側の裏地３０が手前側になっている状態において、矢示ａのように１８０度反転させて、着用時左側の裏地３０が手前側となるようにする。さらにスラックスの丈Ｌの略１／２程度の位置（ほぼ裏地３０の下端部の位置）にて、スラックスの下端側をベルト２４の近傍へ向けて折り曲げると、図５のＡに示す状態になる。
【００３５】
この状態にて、上からスラックスの丈Ｌの略１／４となる位置（ほぼ収納部５０の下端部の位置）で折れ線ｂに沿って、脚部側をさらに矢示ｃのように折りたむとＢになる。
この状態では表地２０の脚部側における折りたたみ部分は全て、裏地３０の収納部５０を設けた部分と重なっている。
【００３６】
Ｂの状態で再び全体を矢示ａのように１８０度反転させるとＣになり、収納部５０が手前側になる。そこで、収納部５０より出ている前後の部分を矢示ｄ及びｅのように裏側へ折りたたみ、さらにベルト２４の近傍となる上部部分も矢示ｆのように裏側へ折りたたむと、Ｄに示す収納部５０とほぼ同じ長方形状になる。続いて、合わせ部５２から後ろ裏地３２を矢示ｇのように裏返し、膝裏地３１を矢示ｈのように裏返すとＥになる。この状態では手前側全体が収納部裏部材５１になる。
【００３７】
そこで、再び全体を矢示ａのように１８０度反転させるとＦになり、裏地３０が手前側になる。このとき、折りたたんだ部分は裏地３０と収納部裏部材５１の間にあり、収納部５０内に収容されているので、上下の合わせ部５２を合わせて、面ファスナー５４を係合させて開口部５３を閉じれば収納が完了する。この収納状態はコンパクトであり、手軽に携帯可能になる。
【００３８】
また、この収納作業において、裏地３０は大きなストレッチ性を有する「カレーユ」からなり、横方向へ約１５％の伸びを有するので、左右方向へ容易に伸ばして反転させることができる。しかも、滑りが良いので、この反転操作をさらに容易にすることができる。そのうえ、収納部５０の表側となる裏地３０がメッシュ生地でない比較的目が密になっている織物であるため、作業中に指先、特に爪がメッシュに引っかかりにくくなり、スムーズな作業を可能になる。この指先の絡みを解消できることは、美容目的で爪を長く伸ばした女性にとって特に有効である。
【００３９】
収納状態からスラックス１０を使用するときには、開口部５３を開き、逆手順で折りたたまれている部分を引き出して展開すればよい。
このときスラックス１０を収納状態から引き出して広げると、表地２０が伸縮性と凹凸加工により、タタミジワがつきにくく回復性の優れたものであるため、タタミジワの目立たない状態に回復する。
【００４０】
このように、本願は、折りたたみ収納可能なスラックス１０の表地２０として、縦横それぞれに強撚糸を用い凹凸加工をしたツーウエイ織物の布地を用い、裏地３０として、ストレッチ性があり、メッシュ生地よりも目が密になっておりかつ表面が平滑な織物の布地を用いるとともに、裏地３０の裏側へ収納部裏部材５１を重ね、その周囲を縫合することにより収納部５０を形成し、ここにスラックス１０を折りたたんで収納可能にした。
【００４１】
このため、スラックス１０は折りたたんで収納しても、回復性に優れタタミジワがつきにくく、しかも、収納がスムーズかつ容易になるので、折りたたみ収納可能なスラックス１０に好適な生地の組み合わせになる。
【００４２】
しかも、収納状態がコンパクトになるので、携帯に適したものになる。特に、一時的に短時間の使用となるため、非使用時はコンパクトにして携帯することが望ましいフォーマルウエアに好適である。
【００４３】
そのうえ、裏地３０を少なくとも横方向に大きなストレッチ性があり、滑りのよいものとすることにより、スラックス１０の着脱がスムーズになるとともに、着用時には体になじんで動きやすくなる。このため、表地の伸縮性と相まって快適な装着感が得られる。
【００４４】
さらに、表地を「ボンフォルト」、裏地を「カレーユ」とすることにより、上記の諸効果に加えて、軽量で、通気性がよく、清涼感並びにドライ感があって快適な着心地が得られ、夏物衣服として好適なものになる。そのうえウォッシャブルになるので、取り扱いが容易になる。
【００４５】
そのうえ、収納部裏部材５１をメッシュ生地とすることにより、表地と裏地の間に別の部材である収納部裏部材５１を設けても、通気性がよいため、蒸れを防いで、快適に着用することができる。
【００４６】
さらに、スラックス１０に裏地３０を使用するとき、膝裏地３１と後ろ裏地３２を連続して設けることにより、裏地３０をひざ裏部分から後ろ身頃の上部まで連続する「すててこ」状にすることができる。このようにすると、着脱が特にスムーズで快適となり、かつ快適な着用感を得ることができる。そのうえ、収納部５０も膝裏地３１から後ろ裏地３２にかけて比較的広い面積で、かつ収納し易い位置に設けることができる。
【００４７】
なお、裏地３０を、「すててこ」状にせず、後ろ裏地３２を省略して膝裏地３１だけを設けるようにしてもよい。この場合は、収納部５０を膝裏地３１の裏側へ設けることになり、縫合部２３よりも前側へ配置する。このようにしても、伸縮性があって滑りのよい生地を用いることによる優れた収納性が確保される。
【００４８】
符号の説明
１０：スラックス、２０：表地、２１：前身頃、２２：後ろ身頃、３０：裏地、３１：膝裏地、３２：後ろ裏地、５０：収納部、５１：収納部裏部材、５２：合わせ部、５３：開口部
【図１】
0003208959.tif 000003
【図２】
0003208959.tif 000004
【図３】
0003208959.tif 000005
【図４】
0003208959.tif 000006
【図５】
0003208959.tif 000007
【手続補正書】
【提出日】平成28年12月7日(2016.12.7)
【手続補正１】
【補正対象書類名】実用新案登録請求の範囲
【補正対象項目名】全文
【補正方法】変更
【補正の内容】
【実用新案登録請求の範囲】
【請求項１】
表地（２０）と裏地（３０）を表裏に重ねて縫製するとともに、裏地と表地の間に折りたたみ時の収納部（５０）を形成した折りたたみ収納可能なスラックスにおいて、
表地（２０）は、縦横それぞれに強撚糸を用い凹凸加工をしたストレッチ性のツーウエイ織物であり、
裏地（３０）は、少なくとも横方向にストレッチ性があり、かつ表面が滑らかな織物であり、
前記収納部（５０）は、裏地（３０）及び表地（２０）の間に配置される収納部裏部材（５１）の周囲を裏地（３０）へ縫合することにより形成された袋状をなし、収納部の開口部（５３）を裏地（３０）に形成したことを特徴とする折りたたみ収納可能なスラックス。 
【請求項２】
請求項１において、前記裏地（３０）は少なくともひざ裏部分に設けられていることを特徴とする折りたたみ収納可能なスラックス。
【請求項３】
請求項２において、前記裏地（３０）は、ひざ裏部分から、後ろ身頃の上部まで連続してすててこ状になっていることを特徴とする折りたたみ収納可能なスラックス。
【請求項４】
請求項３項において、前記裏地（３０）の下端部の一部と前記表地（２０）の一部とを止め部（３４）で連結したことを特徴とする折りたたみ収納可能なスラックス。
【請求項５】
請求項１〜４のいずれか１項において、前記収納部裏部材（５１）がメッシュ生地であることを特徴とする折りたたみ収納可能なスラックス。